(57)【要約】【課題】ハーフプレッサを揺動自在にかつスライド自在に構成しても構造をシンプルかつコンパクトにできるプレッサ装置を備えた横編機を提供する。【解決手段】選択用バット１６１の走行軌道１６０上に突出する作用位置と走行軌道上から退避する不作用位置とに揺動自在に変換されるハーフプレッサ４２を有するプレッサ装置４を備える。走行軌道１６０に沿って互いに平行な枠体４０上の第１及び第２軸４４，４５に対しそれぞれの軸線方向へスライド自在に支持したスライドブロック４６を、第１軸４４上のハーフプレッサ４２を係合した状態でハーフプレッサ４２を伴いスライド用ソレノイド４９によりスライドさせる。第１軸４４の軸線回りに支持部材４７を揺動自在に支持し、この支持部材４７のスライド溝４７１でハーフプレッサ４２をスライド自在に支持した状態で、支持部材４７を揺動用ソレノイド４８で揺動させる。【選択図】図４
2015206143.tif 000002
【特許請求の範囲】
【請求項１】
針床の長手方向に並列される複数の針溝にそれぞれ配置された編針に備えられるバットの走行軌道上に突出して当該バットを針溝内に沈み込ませる作用位置と、前記バットの走行軌道上から退避して前記バットに作用しない不作用位置と、に揺動自在に変換されるプレッサを有するプレッサ装置を備えた横編機であって、
前記プレッサ装置は、
その枠体に取り付けられ、かつ前記バットの走行軌道に沿って互いに平行に延びる第１及び第２軸と、
前記第１及び第２軸に対しそれぞれの軸線方向へスライド自在に支持され、前記第１軸に支持された前記プレッサを係合した状態で当該プレッサを伴いスライドするスライドブロックと、
前記枠体に取り付けられ、前記スライドブロックをスライドさせるスライド用アクチュエータと、
前記第１軸の軸線回りに揺動自在に支持され、前記プレッサを前記スライドブロックのスライド方向と同じ方向へスライド自在に支持するスライド溝を有する支持部材と、
前記枠体に取り付けられ、前記プレッサを前記スライド溝に支持した状態で前記支持部材を揺動させる揺動用アクチュエータと、
を備えていることを特徴とするプレッサ装置を備えた横編機。
【請求項２】
前記揺動用アクチュエータ及び前記スライド用アクチュエータとしては、プランジャを進退させる揺動用及びスライド用ソレノイドがそれぞれ適用され、
前記スライド用ソレノイドは、そのプランジャの進退量を前記両軸の軸線方向へのスライド量に変換する変換部材を介して前記スライドブロックに連結されており、
前記支持部材は、当該支持部材を介して前記プレッサを作用位置及び不作用位置のいずれか一方に変換可能に付勢する付勢手段を備え、前記揺動用ソレノイドのプランジャの進出時に当接して前記プレッサを作用位置及び不作用位置のいずれか他方に変換していることを特徴とする請求項１に記載のプレッサ装置を備えた横編機。
【請求項３】
前記プレッサ装置は、前記プレッサを前記第１軸上のスライド方向両端位置でそれぞれ逆戻り方向へスライド不能にロックするロック手段を備えていることを特徴とする請求項１又は請求項２に記載のプレッサ装置を備えた横編機。
【請求項４】
前記ロック手段は、
前記枠体に設けられ、前記第１及び第２軸の軸線と直行する軸回りに揺動自在に支持された揺動体と、
前記揺動体より第１軸上のスライド方向両端位置側へ向かってそれぞれ突出する第１及び第２ロック片と、
前記揺動体にプランジャが連結され、このプランジャの進退量によって前記揺動体をその軸回りに正逆揺動するロック用ソレノイドと、
前記スライドブロックのスライド方向両側にそれぞれ設けられ、前記揺動体を正逆揺動させて第１又は第２ロック片を係合する一対の係合部と、
を備え、
前記プレッサが前記第１軸上のスライド方向両端位置の一方から他方へスライドする際、前記ロック用ソレノイドのプランジャの進出又は退入により前記揺動体が正逆揺動して第１ロック片が前記一方の係合部から離脱し、前記プレッサがスライド方向両端位置の他方側へスライドしてスライド方向両端位置の他方へ到達したときに前記揺動体の第２ロック片が前記他方の係合部に係合することを特徴とする請求項３に記載のプレッサ装置を備えた横編機。
【請求項５】
前記プレッサは、前記スライドブロックにそれぞれ係合した状態で２つ設けられていることを特徴とする請求項１〜請求項４のいずれか１つに記載のプレッサ装置を備えた横編機。
【発明の詳細な説明】
【技術分野】
【０００１】
本発明は、編針に備わるバットへの作用位置と不作用位置とに揺動自在に変換されるプレッサを有するプレッサ装置を備えた横編機に関する。
【背景技術】
【０００２】
この種のプレッサ装置は、針床の長手方向に並列される複数の針溝にそれぞれ配置された編針に備わるバットの走行軌道上に突出して当該バットを針溝内に沈み込ませる作用位置と、バットの走行軌道上から退避して当該バットに作用しない不作用位置と、に揺動自在に変換されるプレッサを有している。
【０００３】
そして、このようなプレッサにおいては、バットの走行軌道に沿ってスライド自在に構成されたものが知られている（特許文献１参照）。この場合、プレッサがスライド自在となれば、バットにプレッサが作用する位置をカムシステムの中心側に寄せることも可能となる。これにより、カムシステム間のピッチを詰めてキャリッジの往復ストロークを短くし、編成効率の向上、及びキャリッジの小型化・軽量化を図れる。
【先行技術文献】
【特許文献】
【０００４】
【特許文献１】特開２０１２−１４０７１５号公報
【発明の概要】
【発明が解決しようとする課題】
【０００５】
ところで、プレッサを揺動自在にかつスライド自在に構成する場合、それぞれの動作が互いに異なる方向に行われるため、プレッサ装置の構造がきわめて複雑なものとなる上、大型化するおそれがある。
【０００６】
本発明は、プレッサを揺動自在にかつスライド自在に構成しても構造をシンプルでかつコンパクトにすることができるプレッサ装置を備えた横編機を提供することにある。
【課題を解決するための手段】
【０００７】
前記目的を達成するため、本発明では、針床の長手方向に並列される複数の針溝にそれぞれ配置された編針に備えられるバットの走行軌道上に突出して当該バットを針溝内に沈み込ませる作用位置と、前記バットの走行軌道上から退避して前記バットに作用しない不作用位置と、に揺動自在に変換されるプレッサを有するプレッサ装置を備えた横編機を前提とする。そして、前記プレッサ装置に、その枠体に取り付けられ、かつ前記バットの走行軌道に沿って互いに平行に延びる第１及び第２軸と、前記第１及び第２軸に対しそれぞれの軸線方向へスライド自在に支持され、前記第１軸に支持された前記プレッサを係合した状態で当該プレッサを伴いスライドするスライドブロックと、前記枠体に取り付けられ、前記スライドブロックをスライドさせるスライド用アクチュエータと、前記第１軸の軸線回りに揺動自在に支持され、前記プレッサを前記スライドブロックのスライド方向と同じ方向へスライド自在に支持するスライド溝を有する支持部材と、前記枠体に取り付けられ、前記プレッサを前記スライド溝に支持した状態で前記支持部材を揺動させる揺動用アクチュエータと、を備えることを特徴としている。
【０００８】
また、前記スライド用アクチュエータ及び前記揺動用アクチュエータとして、プランジャを進退させるスライド用及び揺動用ソレノイドをそれぞれ適用する。そして、前記スライド用ソレノイドを、そのプランジャの進退量を前記両軸の軸線方向へのスライド量に変換する変換部材を介して前記スライドブロックに連結する。一方、前記支持部材は、当該支持部材を介して前記プレッサを作用位置及び不作用位置のいずれか一方に変換可能に付勢する付勢手段を備え、前記揺動用ソレノイドのプランジャの進出時に当接して前記プレッサを作用位置及び不作用位置のいずれか他方に変換することが好ましい。
【０００９】
また、前記プレッサ装置は、前記プレッサを前記第１軸上のスライド方向両端位置でそれぞれ逆戻り方向へスライド不能にロックするロック手段を備えることが好ましい。
【００１０】
また、前記ロック手段に、前記枠体に設けられ、前記第１及び第２軸の軸線と直行する軸回りに揺動自在に支持された揺動体と、前記揺動体より第１軸上のスライド方向両端位置側へ向かってそれぞれ突出する第１及び第２ロック片と、前記揺動体にプランジャが連結され、このプランジャの進退量によって前記揺動体をその軸回りに正逆揺動するロック用ソレノイドと、前記スライドブロックのスライド方向両側にそれぞれ設けられ、前記揺動体を正逆揺動させて第１又は第２ロック片を係合する一対の係合部と、を設ける。そして、前記プレッサが前記第１軸上のスライド方向両端位置の一方から他方へスライドする際、前記ロック用ソレノイドのプランジャの進出又は退入により前記揺動体が正逆揺動して第１ロック片が前記一方の係合部から離脱し、前記プレッサがスライド方向両端位置の他方側へスライドしてスライド方向両端位置の他方へ到達したときに前記揺動体の第２ロック片が前記他方の係合部に係合することが好ましい。
【００１１】
更に、前記プレッサを、前記スライドブロックにそれぞれ係合した状態で２つ設けていてもよい。
【発明の効果】
【００１２】
バットの走行軌道に沿って平行に延びる第１及び第２軸の軸線方向へスライドブロックを第１軸のプレッサと共にスライド用アクチュエータによりスライドさせ、プレッサをスライド溝にスライド自在に支持した支持部材を揺動用アクチュエータにより第１軸の軸線回りに揺動させることで、スライド溝にスライド自在に支持した状態のプレッサを支持部材毎揺動させることができる。これにより、プレッサのスライド方向の動作が当該プレッサの揺動姿勢に関わらず支持部材のスライド溝内で許容され、プレッサ装置の構造をシンプルでかつコンパクトにすることができる。
【００１３】
また、プランジャの進退量をスライドブロックのスライド量に変換部材を介して変換し、プレッサを作用位置及び不作用位置のいずれか一方に付勢手段の付勢力により変換する一方、付勢手段の付勢力に抗してプランジャの進出時にプレッサを作用位置及び不作用位置のいずれか他方に変換することで、支持部材とプランジャとの間にプランジャの進退量に連動した連結関係が不要となる。これにより、プレッサ装置の構造をよりシンプルでかつよりコンパクトにすることができる。更に、揺動用アクチュエータ及びスライド用アクチュエータにそれぞれソレノイドを用いれば、プレッサ装置を安価に提供することができる。
【００１４】
また、プレッサをロック手段により第１軸上のスライド方向両端位置でそれぞれ逆戻り方向へスライド不能にロックすることで、プレッサをスライド方向両端位置で確実に位置決めすることができる。
【００１５】
また、ロック手段のソレノイドのプランジャの進退量により揺動体を揺動させ、プレッサがスライド方向両端位置の一方から他方へスライドする際、揺動体の第１ロック片を、ロック用ソレノイドのプランジャの進出又は退入により正逆揺動して一方の係合部から離脱させる。そして、プレッサがスライド方向両端位置の他方側へスライドしてスライド方向両端位置の他方へ到達したときに揺動体の第２ロック片を前記他方の係合部に係合することで、スライド方向両端位置で揺動体の第１又は第２ロック片と、一方又は他方の係合部とを係合させて、プレッサを簡単な構成でスライド方向両端位置にて確実に位置決めすることができる。
【００１６】
更に、プレッサを、スライドブロックにそれぞれ係合した状態で２つ設けることで、スライドブロックのスライドに応じて２つのプレッサを等間隔のままスライドさせることができる。
【図面の簡単な説明】
【００１７】
【図１】本発明の実施の形態に係るプレッサ装置を備えた横編機における編針とカムシステムとの対応状態を示す概略説明図である。
【図２】プレッサ装置のハーフプレッサを第１スライド位置までスライドさせてロック手段によりロックさせた状態での正面図である。
【図３】図２のプレッサ装置の平面図である。
【図４】図２のプレッサ装置の要部を示し、（ａ）は要部の正面図、（ｂ）はハーフプレッサの作用位置での右側面図、（ｃ）はハーフプレッサの不作用位置での右側面図である。
【図５】ハーフプレッサを第２スライド位置までスライドさせてロック手段によりロックさせた状態でのプレッサ装置の要部を示し、（ａ）は要部の平面図、（ｂ）は要部の正面図である。
【発明を実施するための形態】
【００１８】
以下、本発明の実施の形態を図面に基づいて説明する。
【００１９】
図１は本発明の実施の形態に係るプレッサ装置を備えた横編機における編針とカムシステムとの対応状態を示す概略説明図を示している。
【００２０】
本発明の横編機は、カムシステムのうち、ハーフプレッサ装置の構成に特徴があり、これら以外の構成は、従来から用いられる一般的な横編機と同一である。なお、図１における一点鎖線は、カムシステムの中心線である。
【００２１】
横編機は、少なくとも前後一対の針床と、各針床に並設される多数の針溝のそれぞれに配置される編針１と、針床の長手方向に沿って往復運動するキャリッジとを備える。キャリッジにはカムシステム２が搭載されており、このカムシステム２により編針１に編成動作（ニット、タック、ミス、および前後の針床間での目移し）を行なわせる。
【００２２】
これらの編成動作は、カムシステム２と共にキャリッジに備わる選針アクチュエータ３による選針と相俟って行われる。図１では、説明の便宜上、カムシステム２の一部のみを示す。また、図中には、目移しを行う際、編針１に備わる一部のバット１５１，１５２，１６１がカムシステム２上に描く走行軌道を示す。
【００２３】
横編機の編針１は、フックを有するニードル本体１４と、ニードル本体１４を針溝の長手方向に進退させるニードルジャック１５と、ニードルジャック１５を進退させるか否かを制御するセレクトジャック１６と、針溝の長手方向におけるセレクトジャック１６のポジションを変化させるセレクタ１７とを有する。このような編針１は、揺動式の選針アクチュエータ３による二段階の選針を受けて、その選針の結果とカムシステム２の状態に応じた編成動作を行う。編針１の選針は、選針アクチュエータ３により選針されたセレクタ１７により行われる。セレクトジャック１６のポジションには、Ｂポジション、Ｂポジションよりも歯口側（ニードル本体１４側）のＨポジション、Ｈポジションよりも歯口側のＡポジションの３つがある。
【００２４】
カムシステム２は、特開２０１２−１４０７１５号公報に示すような従来公知のものであって、固定ニードルレイジングカム２０と、この固定ニードルレイジングカム２０の中間部に形成された受け用トランスファーカム２１と、出没可能な可動ニードルレイジングカム２３と、この可動ニードルレイジングカム２３の左右に一対設けられた度山カム２５，２６と、可動ニードルレイジングカム２３の突出時に没入する一方没入時に突出するトランスファーカム２８と、常時突出しているトランスファーカム２９とを備える。
【００２５】
ニードルジャック１５は、セレクトジャック１６のポジション、及び後述するプレッサ装置４の作用の有無に応じてニードル本体１４を針溝沿いに移動させ、編成用バット１５１および目移し用バット１５２を備える。これらバット１５１，１５２にカムシステム２の各カム２０，２１，２３，２５，２６，２８，２９が適宜作用することで、ニードルジャック１５が針溝に沿って進退し、編成動作が行われる。
【００２６】
次に、プレッサ装置４の詳細な構成を図２〜図５に基づいて説明する。図２は、プレッサ装置４のハーフプレッサを第１スライド位置までスライドさせてロック手段によりロックさせた状態での正面図、図３はプレッサ装置４の平面図をそれぞれ示している。また、図４はプレッサ装置の要部を示し、（ａ）は要部の正面図、（ｂ）はハーフプレッサの作用位置での右側面図、（ｃ）はハーフプレッサの不作用位置での右側面図をそれぞれ示している。更に、図５はハーフプレッサを第２スライド位置までスライドさせてロック手段によりロックさせた状態でのプレッサ装置の要部を示し、（ａ）は要部の平面図、（ｂ）は要部の正面図をそれぞれ示している。
【００２７】
これらの図２〜図５において、プレッサ装置４は、カムシステム２の中心線上に配置されたタックプレッサ４１と、このタックプレッサ４１を挟んで配置されたプレッサとしてのハーフプレッサ４２,４２とを備えている。この２つのハーフプレッサ４２は、カムシステム２の中心線に対し対称に配置されている。また、各プレッサ４１，４２は、プレッサ装置４の枠体４０に取り付けられた第１及び第２軸４４,４５のうちの第１軸４４の軸線回りに揺動自在に支持されている。第１及び第２軸４４,４５は、セレクトジャック１６の先端部に形成される選択用バット１６１の走行軌道１６０に沿って互いに平行に延びている。そして、各ハーフプレッサ４２は、そのカムシステム２の中心線に対し内側となる内側部分がそれぞれ二又状の支持部４２１を介して第１軸４４に対しその軸線回りに揺動自在にかつ軸線方向にスライド自在に支持されている。この場合、各ハーフプレッサ４２は、キャリッジによるカムシステム２の移動方向に対しその後行側にスライド移動して位置決めされている。具体的には、各ハーフプレッサ４２は、カムシステム２が図１で示す左方向に移動する際には後行側となる右側にスライド移動して後述する第１スライド位置（図１に実線で示す位置）に位置付けられる。一方、カムシステム２が図１で示す右方向に移動する際には後行側となる左側に各ハーフプレッサ４２がスライド移動して後述する第２スライド位置（図１に二点鎖線で示す位置）に位置付けられる。つまり、各ハーフプレッサ４２は、カムシステム２の移動方向に応じてその中心線に対し線対称に移動する。
【００２８】
プレッサ装置４は、第１及び第２軸４４,４５をそれぞれ挿通して当該両軸４４，４５に対しそれぞれの軸線方向へスライド自在に支持されたスライドブロック４６を備えている。このスライドブロック４６の長手方向両端は、第１軸４４に対し支持腕４６１を介してスライド自在に支持される。そして、支持腕４６１は、各ハーフプレッサ４２の支持部４２１の間に挟まれて係合され、これによってスライドブロック４６がハーフプレッサ４２を伴い第１及び第２軸４４,４５の軸線方向へスライドする。これにより、スライドブロック４６のスライドに応じて２つのハーフプレッサ４２，４２を等間隔のままスライドさせることができる。
【００２９】
また、プレッサ装置４は、第１軸４４の両端部に支持された支持部材４７を備えている。この支持部材４７は、第１軸４４に対しその軸線回りに揺動自在に支持された支持部４７４と、この支持部４７４より第１軸４４の周方向の互いに略直交する向きへそれぞれ突出する第１及び第２突片４７０，４７２とを備え、側面視で略Ｌ字状を呈している。支持部４７４は、第１軸４４の軸線方向で一対に分割され、これに合わせて第１及び第２突片４７０，４７２の基端部をそれぞれ二又状に形成している。また、支持部材４７の第１突片４７０の先端には、スライドブロック４６のスライド方向と同じ方向へ延びるスライド溝４７１が設けられている。そして、ハーフプレッサ４２は、そのカムシステム２の中心線に対し外側となる外側部分が第１突片４７０のスライド溝４７１にスライド自在に支持されて、スライドブロック４６のスライド移動に伴う移動を可能にしている。この場合、第２軸４５は、支持部材４７間に配置されて第１軸４４よりも短尺とされ、第１軸４４の軸端部において揺動する支持部材４７との干渉を回避している。
【００３０】
更に、プレッサ装置４は、各ハーフプレッサ４２をそれぞれ個別に揺動させる２つの揺動用アクチュエータとしての揺動用ソレノイド４８と、スライドブロック４６を第１スライド位置（図２及び図３に示す位置）と第２スライド位置（図５に示す位置）とにスライドさせるスライド用アクチュエータとしてのスライド用ソレノイド４９とを備えている。また、第１軸４４は、支持部材４７よりも外側の軸支部４０６と、支持部材４７よりも内側の軸支部４０２とでそれぞれ支持されている。そして、スライドブロック４６は、スライド用ソレノイド４９によるスライド時に軸支部４０２に対し当接し、第１スライド位置又は第２スライド位置よりも第１軸４４の両端へのスライドが規制されている。
【００３１】
揺動用ソレノイド４８及びスライド用ソレノイド４９は、それぞれ枠体４０に取り付けられている。揺動用ソレノイド４８のプランジャ４８１は、支持部材４７の第２突片４７２に常時当接し、進出時にハーフプレッサ４２を作用位置（図４の（ｂ）に示す位置）に変換する。この場合、スライド溝４７１にスライド自在に支持した状態のハーフプレッサ４２を支持部材４７毎揺動させることができる。これにより、ハーフプレッサ４２のスライド方向の動作が当該ハーフプレッサ４２の揺動姿勢に関わらず支持部材４７のスライド溝４７１内で許容され、プレッサ装置４の構造をシンプルでかつコンパクトにすることができる。
【００３２】
スライド用ソレノイド４９は、そのプランジャ４９１の進退量を両軸４４,４５の軸線方向へのスライド量に変換する変換部材４３を介してスライドブロック４６に連結されている。変換部材４３は、枠体４０に上下方向へ延びる軸部材４０１回りに正逆揺動自在に支持された支柱部４３０と、この支柱部４３０より軸部材４０１の周方向の互いに略直交する向きへそれぞれ突出する第１及び第２突片４３１，４３２とを備え、平面視で略Ｌ字状を呈している。この場合、変換部材４３は、軸部材４０１回りに正揺動（図３では時計回り）し、軸部材４０１回りに逆揺動（図３では反時計回り）するものとする。
【００３３】
また、第１突片４３１の先端は、プランジャ４９１にピン４９２を介して支持されている一方、第２突片４３２の先端が、スライドブロック４６の孔部４６２に係合されている。そして、変換部材４３は、スライド用ソレノイド４９のプランジャ４９１の進出により軸部材４０１回りに逆揺動し、スライドブロック４６を第２スライド位置側（図２及び図３では左側）へスライドさせる。一方、変換部材４３がスライド用ソレノイド４９のプランジャ４９１の退入により軸部材４０１回りに正揺動すると、スライドブロック４６を第１スライド位置側（図２及び図３では右側）へスライドさせる。なお、スライド用ソレノイド４９のプランジャ４９１の進出により変換部材４３が軸部材４０１回りに逆揺動してスライドブロック４６を第１スライド位置側（図２及び図３では右側）へスライドさせ、変換部材４３がスライド用ソレノイド４９のプランジャ４９１の退入により軸部材４０１回りに正揺動してスライドブロック４６を第２スライド位置側（図２及び図３では左側）へスライドさせてもよい。
【００３４】
また、各支持部材４７は、第１軸４４に巻回された付勢手段としての付勢スプリング４７３を備えている。この付勢スプリング４７３は、一対の支持部４７４間に収容されている。また、各支持部材４７は、揺動用ソレノイド４８のプランジャ４８１の進出時にハーフプレッサ４２を作用位置に変換し、プランジャ４８１の退入時に付勢スプリング４７３の付勢力によってハーフプレッサ４２を不作用位置（図４の（ｃ）に示す位置）に変換している。これにより、支持部材４７とプランジャ４８１との間にプランジャ４８１の進退量に連動した連結関係が不要となり、プレッサ装置４の構造をよりシンプルでかつよりコンパクトにすることができる。更に、揺動用ソレノイド４８及びスライド用ソレノイド４９を用いれば、プレッサ装置４を安価に提供することができる。
なお、各支持部材４７が、揺動用ソレノイド４８のプランジャ４８１の進出時にハーフプレッサ４２を不作用位置に変換し、プランジャ４８１の退入時に付勢スプリング４７３の付勢力によってハーフプレッサ４２を作用位置に変換していてもよい。
【００３５】
プレッサ装置４は、ハーフプレッサ４２を第１軸４４上のスライド方向両端位置で逆戻り方向へスライド不能にロックするロック手段５を備えている。このロック手段５は、枠体４０に支持された揺動体５２を備えている。この揺動体５２は、第１及び第２軸４４,４５の軸線と直行して上下方向へ延びる揺動軸５１回りに正逆揺動自在に支持された略円柱状の基部５２１と、この基部５２１より第１スライド位置側（図３では右側）へ延びる第１突出片５２２と、基部５２１より第２スライド位置側（図３では左側）へ延びて先端が二分岐する第２及び第３突出片５２３，５２４とを備えている。この場合、揺動体５２は、揺動軸５１回りに正揺動（図３では時計回り）し、揺動軸５１回りに逆揺動（図３では反時計回り）するものとする。
【００３６】
また、ロック手段５は、枠体４０に取り付けられ、かつ揺動体５２の第１突出片５２２の先端にピン５４０を介してプランジャ５４１が連結されたロック用ソレノイド５４を備えている。このロック用ソレノイド５４は、プランジャ５４１の進退量によって揺動体５２をその揺動軸５１回りに正逆揺動させている。揺動体５２の基部５２１の揺動軸方向一側端（図２では下端）には、第１及び第２スライド位置側へ向かってそれぞれ突出する第１及び第２ロック片５５１，５５２が一体的に設けられている。この揺動体５２の基部５２１の揺動軸方向一側端は、枠体４０の正面（図２では手前側の面）に凹設された凹部４０３に位置している。凹部４０３は、スライドブロック４６のスライド方向に長尺に形成されている。
【００３７】
更に、ロック手段５は、第１及び第２ロック片５５１，５５２の先端を係合する第１及び第２係合部５６１，５６２を備えている。この第１及び第２係合部５６１，５６２は、スライドブロック４６のスライド方向両側となる枠体４０の凹部４０３の長手方向両側にそれぞれ設けられている。凹部４０３の長手方向両側は、枠体４０の正面に対し段差状の縦壁により阻まれ、第１及び第２ロック片５５１，５５２の先端との係合を可能にしている。また、凹部４０３の長手方向両側の縦壁の上縁は、ロック用ソレノイド５４のプランジャ５４１の進退量によって揺動体５２を揺動軸５１回りに正逆揺動させた際に、揺動体５２の第１及び第２ロック片５５１，５５２の先端をスライドブロック４６のスライドに伴い摺動させる第１及び第２摺動面４０４，４０５として形成されている。この場合、凹部４０３の長手方向両側端間の長さは、第１及び第２ロック片５５１，５５２の先端同士の間の長さよりも短く設定され、これによって、スライドブロック４６のスライドに伴い、第１ロック片５５１の先端が第１摺動面４０４を摺動する一方、第２ロック片５５２の先端の先端が第２摺動面４０５を摺動する。
【００３８】
各ハーフプレッサ４２は、第１スライド位置から第２スライド位置までスライドする際、ロック用ソレノイド５４のプランジャ５４１の進出により正揺動されて第１ロック片５５１の先端が第１係合部５６１から離脱してロック手段５によるロックが解除される。このとき、各ハーフプレッサ４２は、スライド用ソレノイド４９のプランジャ４９１の進出により変換部材４３が逆揺動してスライドブロック４６と共に第２スライド位置側へスライドし、第２スライド位置に到達したときに第２ロック片５５２の先端が第２摺動面４０５上から第２係合部５６２に係合してロック手段５によるロックが行われる。一方、各ハーフプレッサ４２が第２スライド位置から第１スライド位置までスライドする際、ロック用ソレノイド５４のプランジャ５４１の退入により逆揺動されて第２ロック片５５２の先端が第２係合部５６２から離脱する。このとき、各ハーフプレッサ４２は、スライド用ソレノイド４９のプランジャ４９１の没入により変換部材４３が正揺動してスライドブロック４６と共に第１スライド位置側へスライドし、第１スライド位置に到達したときに第１ロック片５５１の先端が第１摺動面４０４上から第１係合部５６１に係合してロック手段５によるロックが行われる。これにより、各ハーフプレッサ４２が第１及び第２スライド位置の一方に位置しているときに当該各ハーフプレッサ４２を逆戻り方向（第１及び第２スライド位置の他方）へスライド不能にロックし、各ハーフプレッサ４２を簡単な構成で第１及び第２スライド位置に確実に位置決めすることができる。
【００３９】
更に、ロック手段５は、揺動体５２の正逆揺動位置を検出するセンサ５７を備えている。このセンサ５７は、枠体４０に取り付けられ、揺動体５２が正逆揺動した際の第２及び第３突出片５２３，５２４の位置をそれぞれ検出している。ロック手段５は、第１及び第２ロック片５５１，５５２の先端と第１及び第２係合部５６１，５６２との係合の成否を判定できるようにしている。図３中５８は、タックプレッサ４１をプランジャ５８１の進出により作用位置に変換するタックプレッサ用ソレノイドであって、タックプレッサの不作用位置への変換がプランジャ５８１の退入時に付勢スプリング（図示せず）の付勢力により行われる。なお、タックプレッサ４１がプランジャ５８１の進出により不作用位置に変換され、タックプレッサの作用位置への変換がプランジャ５８１の退入時に付勢スプリングの付勢力により行われるようにしてもよい。
【００４０】
なお、本実施の形態では、プレッサ装置４にタックプレッサ４１を挟んで２つのハーフプレッサ４２,４２を備えた場合について述べたが、タックプレッサ４１及び２つのハーフプレッサ４２のうちのいずれか２つを備えたプレッサ装置、又は単一のハーフプレッサ４２のみを備えたプレッサ装置に適用してもよい。
【００４１】
また、本実施の形態では、揺動用アクチュエータ及びスライド用アクチュエータとして、揺動用ソレノイド４８及びスライド用ソレノイド４９を用いたが、小型モータとその出力軸に取り付けられた偏心カムとが、支持部材を揺動させる揺動用アクチュエータ、スライドブロックをスライドさせるスライド用アクチュエータとしてそれぞれ用いられていてもよく、偏心カムに摺接する支持部材の揺動量及びスライドブロックのスライド量が偏心カムの偏心量に応じて変更される。また、小型モータの出力軸に取り付けられたピニオンと支持部材及びスライドブロックに取り付けられたラックとが、支持部材を揺動させる揺動用アクチュエータ、スライドブロックをスライドさせるスライド用アクチュエータとしてそれぞれ用いられていてもよく、ピニオンとラックとの噛み合いにより支持部材の揺動量及びスライドブロックのスライド量が変更される。
【００４２】
更に、本実施の形態では、第１及び第２軸４４,４５をそれぞれ挿通してスライドブロック４６を両軸４４，４５に対しそれぞれの軸線方向へスライド自在に支持したが、第１及び第２軸に対しスライドブロックがスライド自在な構成、例えば両軸に対して係合する係合凹部や別途の係合部などを用いてスライド自在に支持されていてもよい。
【符号の説明】
【００４３】
１      編針
１６０  走行軌道
１６１  選択用バット
４      プレッサ装置
４０    枠体
４２    ハーフプレッサ
４３    変換部材
４４    第１軸
４５    第２軸
４６    スライドブロック
４７    支持部材
４７１  スライド溝
４７３  付勢スプリング
４８    揺動用ソレノイド
４８１  プランジャ
４９    スライド用ソレノイド
４９１  プランジャ
５      ロック手段
５１    揺動軸
５２    揺動体
５４    ロック用ソレノイド
５４１  プランジャ
５５１  第１ロック片
５５２  第２ロック片
５６１，５６２  第１及び第２係合部
【図１】
2015206143.tif 000003
【図２】
2015206143.tif 000004
【図３】
2015206143.tif 000005
【図４】
2015206143.tif 000006
【図５】
2015206143.tif 000007